(57)【要約】      （修正有）【課題】  薄く、脆弱なベルト状部材を有する電子写真装置用ユニットであっても、短時間で、歩留まり高く、容易に組み立てることができる電子写真装置用ユニットの製造方法及び電子写真装置用ユニットの提供。【解決手段】  フレーム５，６と、該フレームに取り付けた少なくとも２つのロール１，２，３と、該ロール間に張設されたベルト状部材４とを有する電子写真装置用ユニットであって、前記フレームが位置決め及び片持ちを可能にする手段を有し、該手段により位置決めされ、片持ち状態のフレーム内に前記ベルト状部材を収容してなる電子写真装置用ユニットである。該位置決め及び片持ちを可能にする手段が、フレーム側面に設けられたピン８、貫通穴７、ピンと貫通穴を含む態様が好ましい。【選択図】図２
2006201352.tif 000002
【特許請求の範囲】
【請求項１】
フレームと、該フレームに取り付けた少なくとも２つのロールと、該ロール間に張設されたベルト状部材とを有する電子写真装置用ユニットであって、
前記フレームが位置決め及び片持ちを可能にする手段を有し、該位置決め及び片持ちを可能にする手段により位置決めされ、片持ち状態のフレーム内に前記ベルト状部材を収容してなることを特徴とする電子写真装置用ユニット。
【請求項２】
位置決め及び片持ちを可能にする手段が、フレーム側面に設けられたピンを含む請求項１に記載の電子写真装置用ユニット。
【請求項３】
位置決め及び片持ちを可能にする手段が、フレーム側面に設けられた貫通穴を含む請求項１に記載の電子写真装置用ユニット。
【請求項４】
位置決め及び片持ちを可能にする手段が、フレーム側面に設けられたピンと貫通穴を含む請求項１に記載の電子写真装置用ユニット。
【請求項５】
少なくとも１つのロールが、弾性部材によりベルト状部材を押圧した状態で該ベルト状部材を張設する請求項１から４のいずれかに記載の電子写真装置用ユニット。
【請求項６】
少なくとも１つのロールが、表面に滑剤含有層を有する請求項１から５のいずれかに記載の電子写真装置用ユニット。
【請求項７】
少なくとも１つのロールが、ベルト状部材を駆動させる駆動ロールであり、該駆動ロールの表面材質が、該駆動ロール以外のロールの表面材質と異なる請求項１から６のいずれかに記載の電子写真装置用ユニット。
【請求項８】
駆動ロールの表面材質がＥＰＤＭゴムである請求項７に記載の電子写真装置用ユニット。
【請求項９】
ベルト状部材が、該ベルト状部材の形状を保持するための規制部材内に配置されている請求項１から８のいずれかに記載の電子写真装置用ユニット。
【請求項１０】
規制部材が磁石を有する請求項９に記載の電子写真装置用ユニット。
【請求項１１】
ベルト状部材の基材が金属薄膜及びプラスチックフィルムのいずれかである請求項１から１０のいずれかに記載の電子写真装置用ユニット。
【請求項１２】
金属薄膜がニッケルであり、規制部材との間の磁力によりベルト状部材の形状を保持する請求項１１に記載の電子写真装置用ユニット。
【請求項１３】
電子写真装置用ユニットが、感光体ユニット及び中間転写体ユニットのいずれかである請求項１から１２のいずれかに記載の電子写真装置用ユニット。
【請求項１４】
フレームと、該フレームに取り付けた少なくとも２つのロールと、該ロール間に張設されたベルト状部材と、位置決め及び片持ちを可能にする手段とを有する電子写真装置用ユニットを製造する方法であって、
前記位置決め及び片持ちを可能にする手段によりフレームの位置決めを行った状態で該フレームを片持ちで支持し、ベルト状部材をフレーム内に挿入することを特徴とする電子写真装置用ユニットの製造方法。
【請求項１５】
ベルト状部材がその外周面から形状を規制する規制部材内に保持され、一定の形状を保持したままフレーム内に挿入される請求項１４に記載の電子写真装置用ユニットの製造方法。
【請求項１６】
規制部材が磁石を有し、かつベルト状部材の基材がニッケル薄膜であり、前記規制部材との間の磁力を利用してベルト状部材の形状を保持したままフレーム内に挿入される請求項１５に記載の電子写真装置用ユニットの製造方法。
【発明の詳細な説明】
【技術分野】
【０００１】
本発明は、特にＦａｘ、ＰＰＣ（Ｐｌａｉｎ  Ｐａｐｅｒ  Ｃｏｐｉｅｒ）等に好適に用いられる電子写真装置用ユニット及び該電子写真装置用ユニットの製造方法に関する。
【背景技術】
【０００２】
従来より、感光体ベルトとして厚さ１０〜５０μｍの金属薄膜やプラスチックフィルムを用いた電子写真装置用ユニットを組み立てる際に、フレームに接触などして感光体ベルトに折れ、キズなどが発生し、部品として使用できなくなり、組み立て歩留まりが低くなるという問題がある。
【０００３】
前記問題点を解決するため種々の提案がなされている（特許文献１、特許文献２、及び特許文献３参照）。例えば、特許文献１には、図１に示すように、ベルト状の像担持体を持った像担持体ユニットを装置本体１４に対して着脱可能に有してなり、複数の第一軸受け６２ｒを有する第一の支持部６６と、像担持体ユニット４０を間に介し第一の支持部６６と対向すると共に、一つの第二軸受け６２ｆを有する第二の支持部７７と、を備え、像担持体ユニット４０は、複数の第一軸受け６２ｒへそれぞれ侵入可能な複数の第一支持軸６０ｒをロールの一側に有すると共に、第二軸受け６２ｆへ侵入可能な一つの第二支持軸６０ｆをロールの他側に有し、各第一軸受け６２ｒへの各第一支持軸６０ｒの侵入及び第二軸受け６２ｆへの第二支持軸６０ｆの侵入によって、前記像担持体ユニット４０が装置本体１４に対して位置決めされる画像形成装置が提案されている。
【０００４】
この提案によれば、画像形成装置本体が傾いた面等に載置されることで装置本体のフレームが歪み、第一の支持部と第二の支持部の位置関係がズレたとしても、このズレによる力は像担持体の第一支持軸にのみ伝達されて自由度のある第二支持軸には伝わらない。これにより、画像形成装置本体が歪んだ場合に像担持体ユニットに歪みが生じるのを防止することができる。
しかしながら、上記提案では、脆弱で薄い金属フィルム又はプラスチックフィルムを基体として用いたベルト状部材を搭載した電子写真装置用ユニットを容易に短時間で、かつ歩留まり高く、組み立てることは困難であり、更なる改良、開発が望まれているのが現状である。
【０００５】
【特許文献１】特開２０００−２３１２３１号公報
【特許文献２】特開平１０−１９４５０６号公報
【特許文献３】特開平１０−１０４９９８号公報
【発明の開示】
【発明が解決しようとする課題】
【０００６】
本発明は、従来における諸問題を解決し、以下の目的を達成することを課題とする。即ち、本発明は、薄く、脆弱なベルト状部材を有する電子写真装置用ユニットであっても短時間で、歩留まり高く、容易に効率よく組み立てることができる電子写真装置用ユニットの製造方法及び該製造方法により製造される電子写真装置用ユニットを提供することを目的とする。
【課題を解決するための手段】
【０００７】
前記課題を解決するための手段としては、以下の通りである。即ち、
＜１＞  フレームと、該フレームに取り付けた少なくとも２つのロールと、該ロール間に張設されたベルト状部材とを有する電子写真装置用ユニットであって、
前記フレームが位置決め及び片持ちを可能にする手段を有し、該手段により位置決めされ、片持ち状態のフレーム内に前記ベルト状部材を収容してなることを特徴とする電子写真装置用ユニットである。該＜１＞に記載の電子写真装置用ユニットにおいては、前記フレームが位置決め及び片持ちを可能にする手段を有することにより、薄く、脆弱なベルト状部材を有する電子写真装置用ユニットを短時間で、歩留まり高く、容易に提供することができる。
【０００８】
＜２＞  位置決め及び片持ちを可能にする手段が、フレーム側面に設けられたピンを含む前記＜１＞に記載の電子写真装置用ユニットである。該＜２＞に記載の電子写真装置用ユニットにおいては、位置決め及び片持ちを可能にする手段がフレーム側面に設けられたピンであるため、ユニットを支持するための受け部はピンをユニット下部から支持、又は軸をキャッチングして掴むことにより、容易にフレームを支持でき、開放反対側から容易にベルト状部材を挿入し、ユニットの組み立てを行うことができる。
＜３＞  位置決め及び片持ちを可能にする手段が、フレーム側面に設けられた貫通穴を含む前記＜１＞に記載の電子写真装置用ユニットである。該＜３＞に記載の電子写真装置用ユニットにおいては、位置決め及び片持ちを可能にする手段がフレーム側面に設けられた貫通穴であるため、該貫通穴を通して宙吊りにすることで容易にフレームを支持でき、開放反対側から容易にベルト状部材を挿入し、ユニットの組み立てを行うことができる。
＜４＞  位置決め及び片持ちを可能にする手段が、フレーム側面に設けられたピンと貫通穴を含む前記＜１＞に記載の電子写真装置用ユニットである。該＜４＞に記載の電子写真装置用ユニットにおいては、位置決め及び片持ちを可能にする手段が、フレーム側面に設けられた貫通穴とピンであるため、更に容易にフレームを支持でき、開放反対側から容易にベルト状部材を挿入し、ユニットの組み立てを行うことができる。
【０００９】
＜５＞  少なくとも１つのロールが、弾性部材によりベルト状部材を押圧した状態で該ベルト状部材を張設する前記＜１＞から＜４＞のいずれかに記載の電子写真装置用ユニットである。
＜６＞  少なくとも１つのロールが、表面に滑剤含有層を有する前記＜１＞から＜５＞のいずれかに記載の電子写真装置用ユニットである。
＜７＞  少なくとも１つのロールが、ベルト状部材を駆動させる駆動ロールであり、該駆動ロールの表面材質が、該駆動ロール以外のロールの表面材質と異なる前記＜１＞から＜６＞のいずれかに記載の電子写真装置用ユニットである。該＜７＞に記載の電子写真装置用ユニットにおいては、フレームに取り付けられた、ベルト状部材を駆動させるための駆動ロールの表面に接触することなく、フレームとベルト状部材とを組み立てることができるので、駆動ロール表面に駆動性を持たせた接触摩擦の高い材料を用いることができる。
＜８＞  駆動ロールの表面材質がＥＰＤＭゴムである前記＜７＞に記載の電子写真装置用ユニットである。
＜９＞  ベルト状部材が、該ベルト状部材の形状を保持するための規制部材内に配置されている前記＜１＞から＜８＞のいずれかに記載の電子写真装置用ユニットである。該＜９＞に記載の電子写真装置用ユニットにおいては、ベルト状部材をその外周面から規制して一定形状に保持することにより、自由に変形するベルト状部材がフレームと接触して、キズつけることなく、挿入でき、歩留まり高くユニットの組み立てを行うことができる。
＜１０＞  規制部材が磁石を有する前記＜９＞に記載の電子写真装置用ユニットである。
＜１１＞  ベルト状部材の基材が金属薄膜及びプラスチックフィルムのいずれかである前記＜１＞から＜１０＞のいずれかに記載の電子写真装置用ユニットである。
＜１２＞  金属薄膜がニッケルであり、規制部材との間の磁力によりベルト状部材の形状を保持する前記＜１１＞に記載の電子写真装置用ユニットである。該＜１２＞に記載の電子写真装置用ユニットにおいては、前記ベルト状部材がニッケルである場合、前記組み立て時にベルト状部材を保持する際に、規制部材の磁力で保持することができ、ベルト状部材を挿入する際に、ベルトの自重でベルト状部材上部中央が撓んで、フレームに挿入できなくなることを防止できる。
＜１３＞  電子写真装置用ユニットが、感光体ユニット及び中間転写体ユニットのいずれかである前記＜１＞から＜１２＞のいずれかに記載の電子写真装置用ユニットである。
【００１０】
＜１４＞  フレームと、該フレームに取り付けた少なくとも２つのロールと、該ロール間に張設されたベルト状部材と、位置決め及び片持ちを可能にする手段とを有する電子写真装置用ユニットを製造する方法であって、
前記位置決め及び片持ちを可能にする手段によりフレームの位置決めを行った状態で該フレームを片持ちで支持し、ベルト状部材をフレーム内に挿入することを特徴とする電子写真装置用ユニットの製造方法である。該＜１４＞に記載の電子写真装置用ユニットの製造方法においては、薄く、脆弱なベルト状部材を有する電子写真装置用ユニットであっても、短時間で、歩留まり高く、容易に組み立てることができる。
＜１５＞  ベルト状部材がその外周面から形状を規制する規制部材内に保持され、一定の形状を保持したままフレーム内に挿入される前記＜１４＞に記載の電子写真装置用ユニットの製造方法である。
＜１６＞  規制部材が磁石を有し、かつベルト状部材の基材がニッケル薄膜であり、前記規制部材との間の磁力を利用してベルト状部材の形状を保持したままフレーム内に挿入される前記＜１５に記載の電子写真装置用ユニットの製造方法である。
該＜１５＞及び＜１６＞のいずれかに記載の電子写真装置用ユニットの製造方法においては、ベルト状部材をその外周面から規制して一定形状に保持することにより、自由に変形するベルト状部材をフレームと接触して、キズつけることなく、容易に挿入させて、ユニットの組み立てを行うことができる。
【発明の効果】
【００１１】
本発明によると、従来における問題を解決することができ、薄く、脆弱なベルト状部材を有する電子写真装置用ユニットであっても、短時間で、歩留まり高く、容易に効率よく組み立てることができる電子写真装置用ユニットの製造方法及び該製造方法により製造された電子写真装置用ユニットを提供することができる。
【発明を実施するための最良の形態】
【００１２】
（電子写真装置用ユニット）
本発明の電子写真装置用ユニットは、フレームと、該フレームに取り付けた少なくとも２つのロールと、該ロール間に張設されたベルト状部材とを有してなり、位置決め及び片持ちを可能にする手段、更に必要に応じてその他の手段を有してなる。
【００１３】
前記フレームは、位置決め及び片持ちを可能にする手段を有し、該位置決め及び片持ちを可能にする手段によりユニット内の所定の位置に位置決めされ、片持ち状態のフレームの開放反対側から前記ベルト状部材を収容してなり、前フレームと後フレームとを含むことが好ましい。
前記位置決め及び片持ちを可能にする手段としては、特に制限はなく、目的に応じて適宜選択することができ、例えば、（１）前後フレーム側面に設けられたピン、（２）前後フレーム側面に設けられた貫通穴、（３）前後フレーム側面に設けられたピンと貫通穴とのの組み合わせなどが挙げられる。
【００１４】
前記ピンとしては、例えば、先端がテーパ状に形成されたものが好ましい。前記ピンは、前後フレームの少なくとも一方に１個以上、好ましくは２個以上設けられている。
前記貫通穴は、前後フレームの少なくとも一方に１個以上、好ましくは２個以上設けられている。前記貫通穴は、例えば、略コの字状の支持棒、即ち、２本支持棒が挿入可能なものが好ましい。
前記位置決め及び片持ちを可能にする手段により、同一中心軸線上にフレームと、ロールと、ベルト状部材とを位置決めでき、かつ片持ち状態で保持することによって、開放反対側から同一中心軸線に沿ってベルト状部材を移動させて、フレーム内に収容することができる。
【００１５】
前記ロールとしては、前フレーム及び後フレームに取り付けられ、これらロール間でベルト状部材を張設可能なものであれば特に制限はなく、目的に応じて適宜選択することができ、例えば、駆動ロール、テンションロール、従動ロールなどが挙げられる。
なお、前記ロールは、前後フレームに少なくとも２つ、好ましくは３つ以上設けられる。
【００１６】
前記従動ロールはアルミニウム管から形成され、駆動ロールの駆動に追従して回転可能なロールである。
前記テンションロールは、弾性部材の作用によりベルト状部材を押圧した状態で張設可能なものが好ましい。該テンションロールとしては、アルミニウム管の表面に滑剤含有層を有するものが好適である。該滑剤としては、特に制限はなく、目的に応じて適宜選択することができ、例えば、ステアリン酸亜鉛、フッ素樹脂粉末などが挙げられる。これらの中でも、ステアリン酸亜鉛が特に好ましい。
【００１７】
前記駆動ロールは、ベルト状部材を回転駆動させるものであり、該駆動ロールの表面材質が、該駆動ロール以外のロールの表面材質と異なることが好ましく、例えば、ＥＰＤＭゴム、ＣＲゴム、シリコーンゴム、ウレタンゴムなどが挙げられる。これらの中でも、駆動性に優れたＥＰＤＭゴムが特に好ましい。
【００１８】
前記ベルト状部材としては、特に制限はなく、目的に応じて適宜選択することができるが、無端状のベルトが好ましい。
前記ベルト状部材の基材が金属薄膜及びプラスチックフィルムのいずれかである態様が好ましい。
前記金属薄膜としては、特に制限はなく、目的に応じて適宜選択することができ、例えば、ニッケル、アルミニウム、銅、鉄、ステンレススチールなどが挙げられ、これらの中でも、ニッケルが特に好ましい。
前記プラスチックフィルムとしては、特に制限はなく、目的に応じて適宜選択することができ、例えば、ポリエチレンテレフタレートフィルム、ポリエチレンフィルム、ポリプロピレンフィルム、ナイロンフィルム、ポリイミドフィルム、ポリスチレンフィルム、フッ素化オレフィンフィルム、などが挙げられる。
前記ベルト状部材の基材の厚み、ベルト直径、周長などは特に制限はなく、目的に応じて適宜選択することができるが、例えば、前記基材の厚みは１０〜５０μｍが好ましい。前記ベルト直径は５０〜２００ｍｍが好ましい。前記周長は２５０〜４００ｍｍが好ましい。
【００１９】
前記ベルト状部材は、該ベルト状部材の形状を保持するため規制部材内に配置されていることが好ましい。該規制部材は、内部に磁石を有するものが好ましく、例えば、規制部材の裏蓋にマグネットシートを貼り付けた態様などが挙げられる。このように、ベルト状部材の基体がニッケル等の金属薄膜であると、磁力を利用してベルト状部材の形状を保持したまま、フレーム内に容易かつ確実に収容することができる。
【００２０】
（電子写真装置用ユニットの製造方法）
本発明の電子写真装置用ユニットの製造方法は、本発明の前記電子写真装置用ユニットを製造する方法であって、前記位置決め及び片持ちを可能にする手段によりフレームの位置決めを行った状態で該フレームを片持ちで支持し、ベルト状部材をフレーム内に挿入する。これにより、薄く、脆弱なベルト状部材を有する電子写真装置用ユニットであっても、短時間で、歩留まり高く、容易に組み立てることができる。
【００２１】
まず、フレーム側面に設けられたピンをピン受け部に挿入し位置決めし、フレーム側面に設けられた貫通穴に支持棒を挿入し、ロールが取り付けられたフレームを片持ち支持する。
次に、ロールが取り付けられた片持ち支持状態のフレーム内に規制部材により形状を保持されたベルト状部材をレール部材に沿ってスライドさせながら挿入する。そして、支持棒を引き抜いて、電子写真装置用ユニットの組み立てが完了する。なお、支持棒は挿入されたままの状態であっても構わない。
この場合、ベルト状部材がその外周面から形状を規制する規制部材内に保持され、一定の形状を保持したままフレーム内に挿入されることが好ましい。特に、フレームの蓋の裏面にマグネットシートが取り付けられた規制部材を用い、Ｎｉ製のベルト状部材と組み合わせると、前記規制部材との間の磁力を利用してベルト状部材の形状を保持したままフレーム内に挿入することができる。
【００２２】
本発明の電子写真装置用ユニットは、特に制限はなく、目的に応じて適宜選択することができ、例えば、感光体ユニット及び中間転写体ユニットのいずれかであることが好ましく、Ｆａｘ、ＰＰＣ（Ｐｌａｉｎ  Ｐａｐｅｒ  Ｃｏｐｉｅｒ）等に搭載して好適に用いられる。
【実施例】
【００２３】
以下、本発明の実施例について説明するが、本発明は下記実施例に何ら限定されるもの
ではない。
【００２４】
図２（Ａ）は、電子写真装置用ユニットの一例として感光体ユニットを示す平面図であり、図２（Ｂ）は、図２（Ａ）の断面図である。
この感光体ユニットにおいては、同一中心軸線上に位置決めされた従動ロール１と、テンションロール２と、駆動ロール３とを含む前フレーム５、後フレーム６、及びベルト状部材４を有してなる。
これらロールにより、前記ベルト状部材が張設され、一定方向に回転可能に構成されている。
【００２５】
図３に示すように、前フレーム５及び後フレーム６に設けられた貫通穴７に通した略コの字状の支持棒９により、フレームは水平に宙吊り状態で、片方が開放された片持ち支持されている。
また、図３に示すように、前後フレーム側面に設けられたピン８を固定板（支持部材）に挿入することによりフレームが位置決めされている。
また、図３に示すように、同一中心軸線上に設置されたレール部材１０に、ベルト状部材４を入れた箱状の規制部材１１を乗せて、ベルト状部材をレール部材１０に沿って移動させて、開放反対側からフレーム内に挿入可能に構成されている。
このような構成により、ベルト状部材をキズ付けたりすることなく、容易に短時間で、かつ高い歩留まりで、中間転写体ユニットの組み立てを行うことができる。
【００２６】
図２に示す感光体ユニットでは、無端状のベルト状部材４の基体としてニッケル薄膜を用いている。図４に示すように、ベルト状部材４は、規制部材１１に取り付けた磁石１５による磁力で形状を保持しているので、ベルト状部材をフレーム内に挿入作業中に、ベルトの自重でベルト部材の上部中央が撓んで、フレームに挿入できなくなったり、フレームと接触してキズつけることなく、スムーズに挿入し、ユニットを組み立てることができる。
【００２７】
図２に示す感光体ユニットでは、図５に示すように、前後フレーム５,６に、従動ロール１、テンションロール２、及び駆動ロール３がそれぞれ回転可能に取り付けられている。
従動ロール１はアルミニウム管であり、駆動ロールの駆動に追従して回転可能である。テンションロール２は、バネ等の弾性部材の作用によりベル状部材４を押圧し張設可能に構成されている。このテンションロールの表面には滑剤含有層（ステアリン酸亜鉛）が形成されている。
駆動ロール３は、アルミニウム管の表面に駆動性を向上させるためＥＰＤＭゴム層を形成している。
【００２８】
本発明の電子写真装置用ユニットの製造方法としては、まず、図６に示すように、フレーム側面に設けられたピンをピン受け部に挿入し位置決めし、フレーム側面に設けられた貫通穴に支持棒を挿入し、ロールが取り付けられたフレームを片持ち支持する。
次に、図７に示すように、ロールが取り付けられた片持ち支持状態のフレーム内に規制部材により形状を保持されたベルト状部材をレール部材に沿ってスライドさせながら挿入する。そして、図８に示すように、支持棒を引き抜いて、電子写真装置用ユニットの組み立てが完了する。なお、支持棒は挿入されたままの状態であっても構わない。
なお、図６に示すように、蓋の裏面にマグネットシートが取り付けられた規制部材を用い、Ｎｉ製のベルト状部材と組み合わせると、前記規制部材との間の磁力を利用してベルト状部材の形状を保持したままフレーム内に挿入することができる。
【００２９】
本発明の電子写真装置用ユニットによれば、薄く、脆弱なベルト状部材を有する電子写真装置用ユニットであっても、短時間で、歩留まり高く、容易に効率よく組み立てることができる。
【００３０】
以上、本発明の電子写真装置用ユニット及びその製造方法の一実施例について詳細に説明したが、本発明は、前記実施例に限定されず、本発明の要旨を逸脱しない範囲で種々変更しても差し支えない。
【産業上の利用可能性】
【００３１】
本発明の電子写真装置用ユニットの製造方法及び電子写真装置用ユニットは、感光体ユニットや中間転写体ユニットに適用でき、例えば、Ｆａｘ、ＰＰＣ（Ｐｌａｉｎ  Ｐａｐｅｒ  Ｃｏｐｉｅｒ）等に搭載して幅広く好適に用いられる。
【図面の簡単な説明】
【００３２】
【図１】図１は、従来の電子写真装置用ユニットの一例を示す概略説明図である。
【図２】図２は、本発明の電子写真装置用ユニットの一例を示す概略図である。
【図３】図３は、本発明の電子写真装置用ユニットの組み立て工程を示す概略図である。
【図４】図４は、ベルト状部材の撓みを防止する方法を説明するための説明図である。
【図５】図５は、フレーム及びロールを組み立てた状態を示す概略図である。
【図６】図６は、本発明の電子写真装置用ユニットの組み立て開始の状態を示す説明図である。
【図７】図７は、本発明の電子写真装置用ユニットの組み立てにおけるフレーム片持ち状態を示す説明図である。
【図８】図８は、本発明の電子写真装置用ユニットの組み立てにおける組み立て終了状態を示す説明図である。
【符号の説明】
【００３３】
１      従動ロール
２      テンションロール
３      駆動ロール
４      ベルト状部材
５      前フレーム
６      後フレーム
７      貫通穴
８      ピン
９      支持棒
１０      レール部材
１１      規制部材
１５      磁石
１６      弾性部材
【図１】
2006201352.tif 000003
【図２】
2006201352.tif 000004
【図４】
2006201352.tif 000005
【図５】
2006201352.tif 000006
【図６】
2006201352.tif 000007
【図７】
2006201352.tif 000008
【図８】
2006201352.tif 000009
【図３】
2006201352.tif 000010